(57)【特許請求の範囲】
【請求項１】
ベース（２）に誘虫ランプ（３）を設け、このベース（２）に飛翔昆虫の侵入口（５）を有する透明なケーシング（４）を取り付けるとともに、侵入口（５）の対向位置に発光素子（６）と受光センサ（７）とを向き合わせ状態で設け、侵入口（５）の近くで発光素子（６）からの赤外線の通過域に乱反射防止面（８）を形成し、また受光センサ（７）の出力端子を積算用のカウンタ（９）の入力端に接続し、ケーシング（４）の内部で侵入口（５）から誘虫ランプ（３）に至る空間に捕虫シート（１０）を着脱自在に取り付け、さらに誘虫ランプ（３）を紫外線領域の放電ランプとし、発光素子（６）の発光領域および受光センサ（７）の受光領域を赤外線の波長域として、誘虫ランプ（３）と発光素子（６）および受光センサ（７）とを異なる波長領域とすることを特徴とする飛翔昆虫検知装置（１）。
【発明の詳細な説明】
【０００１】
【発明の技術分野】
本発明は、飛翔昆虫の数を調査し、必要に応じてそれらの飛翔昆虫を捕獲する装置に関する。
【０００２】
【従来の技術】
発明者は、飛翔昆虫の調査手段として、この種の装置を実公平２−６７８８号「誘引捕虫調査装置」公報によって既に提案している。上記装置は、屋外に取り付けられ、飛翔昆虫の分布状態を調査するのに実用上有効な装置である。しかし上記装置は、高度の機能を有しているため、特殊な用途例えば博覧会会場などに用いられるが、その分高価であり、食品工場などの一般的な用途に不向きであった。
【０００３】
【発明の目的】
したがって、本発明の目的は、飛翔昆虫の分布状態を安価で軽量な装置によって調査できるようにし、また用途に応じ、それらの飛翔昆虫を捕獲できるようにすることである。
【０００４】
【発明の解決手段】
上記目的の下に、本発明は、ベースに誘虫ランプを設け、このベースに飛翔昆虫の侵入口を有する透明なケーシングを取り付けるとともに、侵入口の対向位置に発光素子と受光センサとを向き合わせ状態で設け、侵入口の近くで発光素子からの赤外線の通過域に乱反射防止面を形成し、また受光センサの出力端子を積算用のカウンタの入力端に接続し、ケーシングの内部で侵入口から誘虫ランプに至る空間に捕虫シートを着脱自在に取り付け、さらに誘虫ランプを紫外線領域の放電ランプとし、発光素子の発光領域および受光センサの受光領域を赤外線の波長域として、誘虫ランプと発光素子および受光センサ（７）とを異なる波長領域として、飛翔昆虫検知装置を構成している。
【０００５】
誘虫ランプの点灯時に、飛翔昆虫は、侵入口からケーシングの内部に入る。このとき、発光素子からの光（赤外線）が飛翔昆虫によって遮断されるため、受光センサは、その遮断状態を検出してカウンタに信号を送る。ここでカウンタは、その遮断状態を積算することによって、飛翔昆虫の侵入状態を計数する。ケーシングの内部に入り込んだ飛翔昆虫は、やがて捕虫シートに接し、その粘着力によって、捕獲される。ここで、乱反射防止面は、赤外線や誘虫ランプからの光線を吸収することによって、受光センサによる誤動作を防止し、飛翔昆虫の検出の精度を高めている。
【０００６】
【発明の実施の形態】
図１ないし図３は、本発明の飛翔昆虫検知装置１を示し、図４は、電気回路を示している。飛翔昆虫検知装置１は、ベース２に誘虫ランプ３を設け、この誘虫ランプ３を取り囲むように、ベース２に透明なケーシング４を取り付けるとともに、このケーシング４に形成されている侵入口５に例えば赤外線の発光素子６と受光センサ７とを対向させ、また侵入口５の近くで赤外線の通過域例えば内壁面に乱反射防止面８を形成し、さらに、ケーシング４の内部に捕虫シート１０を着脱自在に設けて構成されている。
【０００７】
誘虫ランプ３は、誘虫効果の高い紫外線領域の光（３００〜４００〔ｎｍ〕）を発生するものであり、ベース２の両端に取り付けられたソケット１１に対して着脱自在に取り付けられている。もちろん、このベース２は、背面側で点灯ユニット（スタータ・チョークコイル、コンデンサ）１４などを備えている。
【０００８】
そして、ケーシング４は、例えば透明なプラスチックにより蒲鉾型として成形されており、誘虫ランプ３を取り囲むようにして、ベース２の面に対して適当な固定手段によって取り付けられ、誘虫ランプ３に対応する長さの侵入口５を一体的に形成している。
【０００９】
赤外線の発光素子６および受光センサ７は、対となって、例えば長方形状の侵入口５の短辺の対向壁に埋め込まれ、光学的に向き合っている。このため、侵入口５の内壁面は、発光素子６からの赤外線の乱反射あるいは誘虫ランプ３からの紫外線の乱反射を防止し、受光センサ７の誤動作を防止するために、乱反射防止面８となっている。乱反射防止面８は、赤外線や紫外線を吸収する物質例えば黒いフェルトや紙シートなどを侵入口５の内壁面に貼り付けることによって構成する。なお、受光センサ７の出力端は、アンプユニット１３を介して、カウンタ９に接続されている。このカウンタ９は、ケーシング４の内部でベース２の背面に取り付けられていてもよく、またその外部に取り付けられていてもよい。
【００１０】
また、捕虫シート１０は、粘着捕虫式のもの、または殺虫剤発散式で、ケーシング４の内部に設けられた一対のサポート１２に対して、例えば接着剤によりあるいはスリットなどに挟み込むことによって着脱自在に取り付けられる。
【００１１】
上記構成の飛翔昆虫検知装置１は、調査対象領域の屋外、その他食品工場の天井や壁面などに取り付けられる。なお、使用開始前に、リセットボタンを押してカウンタ９の計数値を「０」にセットする。ちなみに、発光素子６、受光センサ７の点検にあたっては、発光素子６から受光センサ７に至る赤外線の検知領域に細い棒を出し入れして、カウンタ９が動作するかどうかをチェックする。
【００１２】
この取り付け状態で、誘虫ランプ３は、紫外線の光を発生し、飛翔昆虫の走光性を利用して、飛翔昆虫類を誘引する。一方、発光素子６は、赤外線を発生し、受光センサ７に向けて送り込んでいる。この状態で、飛翔昆虫が侵入口５からケーシング４の内部に入り込むと、発光素子６からの紫外線は、飛翔昆虫によって遮断される。したがって、受光センサ７は、その遮光状態に応じたパルス状の信号をアンプユニット１３で増幅しながらカウンタ９に送り込む。ここで、カウンタ９は、その遮断時のパルス状の信号を積算し、その積算値を数値として表示すると共に、その出力端子から外部の集計装置などに積算データとして出力する。
【００１３】
また、ケーシング４の内部に入り込んだ飛翔昆虫は、ケーシング４の内部で飛び回る過程で、粘着式の捕虫シート１０に触れ、そこに捕獲される。管理者は、捕獲状況を見て、適当な時期に、ケーシング４をベース２から外し、捕虫シート１０を新しいものと取り替えて、その後の捕獲に備える。なお、この飛翔昆虫検知装置１の使用目的が飛翔昆虫の分布データの管理のみであれば、捕虫シート１０は、必要なく、したがって、それのない状態で使用する。
【００１４】
なお、捕虫シート１０が取り付けられていないとき、飛翔昆虫は、侵入口５を出入りすることもあるため、そのときのカウンタ９の計数値は、飛翔昆虫の個体の数の検出ではなく、飛翔状態の飛翔昆虫の分布数ということになる。また捕虫シート１０が取り付けられているとき、ケーシング４の内部に入ったほとんどの虫は、捕虫シート１０によって捕獲されるため、このときのカウンタ９の計数値は、誘虫ランプ３に誘われて、ケーシング４の内部に入り込んだ飛翔昆虫（個体）の数となる。
【００１５】
【発明の効果】
本発明では、装置が軽量で簡単なものとして構成できるため、装置が安価なものとして提供でき、食品工場などに於いて、取り付けあるいは使用可能な製品となる。また、ケーシングの侵入口に赤外線の発光素子と受光センサとが対向状態で設けられており、これとカウンタとによって、飛翔昆虫の分布データや捕獲データが集計できるため、飛翔昆虫の分布状態を調査するのに最適な装置となる。また、侵入口の内壁面に乱反射防止面が形成されているため、外部の光や、誘虫ランプからの光、さらに発光素子からの赤外線の乱反射による誤動作が未然に防止でき、しかも誘虫ランプの光と発光素子の光とが異なる波長領域となっているので、データの信頼性が高められる。さらに、捕虫シートがケーシングの内部に対して着脱自在に設けられているため、飛翔昆虫の分布データの収集のほか、用途に応じて、飛翔昆虫を捕獲できるため、データの収集・捕獲の機能が同時に達成できる。
【図面の簡単な説明】
【図１】本発明の飛翔昆虫検知装置の底面図である。
【図２】本発明の飛翔昆虫検知装置の一部破断正面図である。
【図３】本発明の飛翔昆虫検知装置の図２でのＡ−Ａ線の断面図である。
【図４】飛翔昆虫検知装置の電気回路のブロック線図である。
【符号の説明】
１  飛翔昆虫検知装置
２  ベース
３  誘虫ランプ
４  ケーシング
５  侵入口
６  発光素子
７  受光センサ
８  乱反射防止面
９  カウンタ
１０  捕虫シート
１１  ソケット
１２  サポート
１３  アンプユニット
１４  点灯ユニット
【図１】
0003710111.tif 000002
【図２】
0003710111.tif 000003
【図３】
0003710111.tif 000004
【図４】
0003710111.tif 000005